(57)【要約】【課題】  バインダにおいて、記録材の着脱が簡単にできるようにするとともに、装着した記録材が持ち運び等によって外れることを防止する。【解決手段】  支持部５に対向し支持部５に向かい近接傾斜する傾斜面９を有する対向部７と支持部５との間に収納された回転体１４と、この回転体１４を入口１０に向けて付勢する板バネ２０とを備えるクリップ１をバインダに備え、バインダのバインダボードの両側部に、クリップ１に保持された記録材の幅方向の両端が当接可能な一対の壁を備える。【選択図】    図３
2005262637.tif 000002
【特許請求の範囲】
【請求項１】
支持部と、
この支持部に対向し前記支持部に向かい近接傾斜する傾斜面を有する対向部と、
前記支持部と前記対向部とが近接する側に形成された入口を含み、前記支持部と前記対向部との間への記録材の挿入を許容する挿入口と、
前記傾斜面に沿って移動自在に前記支持部と前記対向部との間に収納され、前記挿入口における前記支持部と前記対向部との対向方向の間隔よりも径が大きい回転体と、
この回転体の前記入口へ向かう方向と直交する方向のうち前記支持部に沿った方向への前記回転体の移動を規制する規制部と、
前記回転体を前記入口へ向けて付勢する付勢部材と、
を備えるクリップ。
【請求項２】
前記付勢部材は、前記支持部と前記対向部とから間隔を有して配置され、前記回転体に当接する当接部を有し、
この当接部の少なくとも一部は、前記支持部と前記対向部との対向方向において前記入口よりも前記対向部側に寄った位置に位置している、請求項１記載のクリップ。
【請求項３】
前記回転体は、ポールであり、
前記付勢部材は、前記ポールの両端部を押す、請求項１又は２記載のクリップ。
【請求項４】
前記回転体は、軸と、この軸の両端部に遊嵌されたリング部材とから構成されている、請求項１ないし３の何れか一記載のクリップ。
【請求項５】
前記入口における前記支持部と前記対向部との対向方向の間隔は、前記回転体の径の２／５以下である、請求項１ないし４の何れか一記載のクリップ。
【請求項６】
記録材を支持する記録材支持面が形成されたバインダボードと、
このバインダボードの前記記録材支持面側に設けられ記録材を保持する請求項１ないし５の何れか一記載のクリップと、
前記クリップに保持された記録材の幅方向の両端が当接可能に前記記録材支持面の両端部から突出して形成された一対の壁と、
を備えるバインダ。
【発明の詳細な説明】
【技術分野】
【０００１】
本発明は、用紙などの記録材を保持するクリップ及びこれを備えたバインダに関する。
【背景技術】
【０００２】
従来、バインダボード上に載置した記録材である用紙などをバインダボードに設けられたクリップで保持するバインダがある（例えば、特許文献１及び２参照）。このようなバインダによって用紙を保持することにより、例えば机など用紙を載置するものが無い場合であっても、用紙への書き込み作業を楽に行うことができる。
【０００３】
このようなバインダで用いられるクリップは、バインダボードに対して開閉自在に取り付けられた押さえ部材をバネの力によってバインダボードに向けて押す構造のいわゆるバネ式のものである。
【０００４】
【特許文献１】特開２００１−１６７９公報
【特許文献２】特開平７−２２８０８６号公報
【特許文献３】特開平１０−２２６１９０号公報
【特許文献４】特開平１１−１３９０５６号公報
【発明の開示】
【発明が解決しようとする課題】
【０００５】
このようなバインダを使用する際には、使用者は、一方の手でバインダを持ちながらクリップを開いて、他方の手で用紙を持ってこの用紙をクリップに挿入し、挿入後にクリップを閉じるというクリップ作業を行う。このように、バネ式クリップでは、用紙をクリップに保持させるために、一方の手でバインダを持ちながらクリップを開くという作業をしなければならず、作業が難しいという問題がある。また、作業に両手を使用しなければならず、例えば使用者が片手でペン等を持っている場合等には不便な作業となる。
【０００６】
クリップには、クリップ作業を片手で行える重力式クリップがある。図９に示すように、重力式クリップ１００は、保持板材１０１と、この保持板材１０１に対向する対向板材１０２との間に例えばポール１０３を収納した構造である。対向板材１０２は、下端に向くに従い保持板材１０１に近接する傾斜を持った形状に形成されている。保持板材１０１と対向板材１０２との下端には、入口１０４が形成されている。また、保持板材１０１と対向板材１０２との側部には、上下方向にスリット（図示せず）が形成されている。この構造では、使用者が用紙を入口１０４から挿入すると、用紙は、ポール１０３と保持板材１０１との間に進入する。そして、重力によって下方へ力を受けているポール１０３は対向板材１０２によって保持板材１０１に向かって押され、これによって、ポール１０３と保持板材１０１との間で用紙が狭持される。これにより、使用者が用紙から手を離しても用紙は重力式クリップ１００に保持されて落下しない。この重力式クリップ１００は、例えば壁などに重力式クリップ１００を固定して用紙を吊り下げるという使用が想定されている。重力式クリップ１００を壁などに固定することにより、使用者は、バネ式クリップのような開閉動作をすることなく、片手のみを使用して用紙を重力式クリップ１００に保持させることができる。そして、この状態から、用紙を側方にスライドさせることにより、重力式クリップ１００から用紙を外すことができる。
【０００７】
本発明者は、上述した従来のバインダの問題点を解決すべく、重力式クリップ１００をバインダに取り付けるという考えに至った。しかしながら、重力式クリップ１００は、上下方向を逆さまにすると、具体的には、入口１０４を上方に向けると、ポール１０３が背面１０５側に移動して、用紙を挟むことができない状態となるという問題がある。また、重力式クリップ１００に用紙を挟んだとしても、バインダを持ち運ぶ際に、バインダの幅方向を上下方向に向けると用紙の重さなどの条件によっては用紙が幅方向にスライドして重力式クリップ１００から外れてしまうという問題がある。
【０００８】
本発明の目的は、バインダにおいて、用紙の着脱が簡単にできるようにするとともに、装着した用紙が持ち運び等によって外れることを防止できるようにすることである。
【課題を解決するための手段】
【０００９】
請求項１記載の発明のクリップは、支持部と、この支持部に対向し前記支持部に向かい近接傾斜する傾斜面を有する対向部と、前記支持部と前記対向部とが近接する側に形成された入口を含み、前記支持部と前記対向部との間への記録材の挿入を許容する挿入口と、前記傾斜面に沿って移動自在に前記支持部と前記対向部との間に収納され、前記挿入口における前記支持部と前記対向部との対向方向の間隔よりも径が大きい回転体と、この回転体の前記入口へ向かう方向と直交する方向のうち前記支持部に沿った方向への前記回転体の移動を規制する規制部と、前記回転体を前記入口へ向けて付勢する付勢部材と、を備える。
【００１０】
請求項２記載の発明は、請求項１記載のクリップにおいて、前記付勢部材は、前記支持部と前記対向部とから間隔を有して配置され、前記回転体に当接する当接部を有し、この当接部の少なくとも一部は、前記支持部と前記対向部との対向方向において前記入口よりも前記対向部側に寄った位置に位置している。
【００１１】
請求項３記載の発明は、請求項１又は２記載のクリップにおいて、前記回転体は、ポールであり、前記付勢部材は、前記ポールの両端部を押す。
【００１２】
請求項４記載の発明は、請求項１ないし３の何れか一記載のクリップにおいて、前記回転体は、軸と、この軸の両端部に遊嵌されたリング部材とから構成されている。
【００１３】
請求項５記載の発明は、請求項１ないし４の何れか一記載のクリップにおいて、前記入口における前記支持部と前記対向部との対向方向の間隔は、前記回転体の径の２／５以下である。
【００１４】
請求項６記載の発明のバインダは、記録材を支持する記録材支持面が形成されたバインダボードと、このバインダボードの前記記録材支持面側に設けられ記録材を保持する請求項１ないし５の何れか一記載のクリップと、前記クリップに保持された記録材の幅方向の両端が当接可能に前記記録材支持面の両端部から突出して形成された一対の壁と、を備える。
【発明の効果】
【００１５】
本発明によれば、バインダにおいて、用紙の装着を簡単にすることができ、また、装着した用紙が持ち運び等によって外れることを防止することができる。
【発明を実施するための最良の形態】
【００１６】
本発明の一実施の形態を図１ないし図８に基づいて説明する。
【００１７】
図１は本実施の形態のクリップ１を示す斜視図、図２はその分解斜視図、図３はその縦断側面図である。図１ないし図３に示すように、クリップ１は、支持板材２と、この支持板材２に対向する部位を有する対向板材３とを備えている。支持板材２は、支持面４が形成された支持部５と、この支持部５から対向板材３に向かって垂直に延出した第１垂直部６とを有している。対向板材３は、支持部５に対向する対向部７と、この対向部７から支持板材２に向かって垂直に延出した第２垂直部８とを有している。そして、第１垂直部６に第２垂直部８が固定されて、支持板材２と対向板材３とが一体化されている。
【００１８】
対向部７には、支持部５に向かい近接傾斜する傾斜面９が形成されている。そして、この傾斜面９と支持面４とが近接する部位の支持部５と対向部７との間には、間隔があけられており、ここに入口１０が形成されている。この入口１０は、支持部５と対向部７との間への記録材Ｓ（図６参照）の挿入を許容する。ここで、記録材Ｓは、記録材Ｓ（用紙）などのシート状に形成されたものである。
【００１９】
第２垂直部８の両側部には、入口１０へ向かって延出した一対の規制部である規制壁１１（図では一方のみを示す）が形成されている。これらの規制壁１１は、対向部７と支持部５との間の両側部に位置している。この規制壁１１と支持部５との間には、間隔が開けられており、ここに、側部入口１２ａが形成されている。この側部入口１２ａは、入口１０とともに、支持部５と対向部７との間への記録材Ｓの挿入を許容する挿入口１２を構成している。
【００２０】
支持板材２と対向板材３と規制壁１１と囲まれて形成された収納部１３には、回転体であるポール１４が収納されている。ポール１４は、傾斜面９に沿って移動自在に支持部５と対向部７との間に遊転可能な大きさであって、挿入口１２における支持部５と対向部７との対向方向の間隔よりも大きい径に形成されている。収納部１３では、ポール１４は、入口１０へ向かう方向と直交する方向のうち支持部５に沿った方向への移動が規制されている。つまり、ポール１４は、支持部５の幅方向への移動を規制されている。
【００２１】
図４はポール１４の構造を説明するための説明図、図５はポール１４の別の構造を説明するための分解斜視図である。ポール１４は、軸部１５の両端部にリング部１６が形成された形状である。この形状のポール１４としては、単一部材によって構成されるものと、複数部材から構成されるものがある。単一部材から構成される例としては、図４（ａ）に示す軸１７を加工して両端にリング部１６を形成することにより図４（ｂ）に示すポール１４となる。複数部材から構成される例としては、軸１８の両端にリング部となるリング部材１９を取り付けることによりポール１４とする。この例でのリング部材１９は、軸１８の両端部に遊嵌されている。リング部材１９は、規制壁１１によって幅方向の移動を規制されるので、軸１８から脱落することがない。
【００２２】
図１ないし図３に示すように、収納部１３には、ポール１４と第１及び第２垂直面６，８との間に配置されポール１４を入口１０へ向けて付勢する付勢部材である板バネ２０が設けられている。板バネ２０は、第２垂直部８に平行な基部２１とこの基部２１の両側端部に設けられた一対の板バネ部２２とから構成されている。基部２１は第２垂直部８に固定されている。一対の板バネ部２２は、基部２１から互い違いに入口１０へ向かって延出して形成されている。板バネ部２２は、支持部５と対向部７とから間隔を有して配置されている。また、板バネ部２２の先端には、ポール１４のリング部１６に当接する当接部２３が形成されている。この当接部２３の一部は、支持部５と対向部７との対向方向（図３における上下方向）において入口１０よりも対向部７側に寄った位置に位置している。
【００２３】
次に、このクリップ１の記録材Ｓの保持原理を図５及び図６に基づいて説明する。図６はクリップ１の記録材Ｓの保持原理を説明するための説明図である。入口１０から挿入される記録材Ｓは、ポール１４に案内されてポール１４と支持部５との間に進入する。このとき、ポール１４は、板バネ２０によって入口１０に向かって付勢されている。よって、ポール１４には、板バネ２０の付勢力とポール１４にかかる入口１０方向への重力との和であるＦ（１）が加わる。そして、このＦ（１）により押されたポール１４には傾斜面９による反力Ｆ（Ａ）が加わり、この反力Ｆ（Ａ）の支持板材２側への分力Ｆ（Ｂ）によりり、記録材Ｓが支持板材２に押し付けられる。即ち、記録材Ｓは、ポール１４と支持部５とによって挟持される。ここで、図５では、ポール１４の入口１０方向への重力は発生していない状態を示している。
【００２４】
次に、この状態から、この記録材Ｓを入口１０からＦ（２）の力で引き抜こうとすると、ポール１４は、記録材Ｓに引っ張られて入口１０へ向けて（図中右方向）移動しようとするが、傾斜面９に阻まれ移動できず、ポール１４は、傾斜面９からＦ（Ｕ）の力を受ける。
【００２５】
ここで、Ｆ（Ｕ）＝Ｆ（２）／ｓｉｎ（θ）であり、その分力＝Ｆ（２）ｃｏｓ（θ）／ｓｉｎ（θ）の力が記録材Ｓを支持部５に対して垂直に押すことになる。
【００２６】
この分力、及び分力による記録材Ｓとポール１４との接触面での摩擦係数（μ１）が十分大きければ、記録材Ｓは抜けないこととなる。
（μ１）・｛Ｆ（Ｂ）+Ｆ（２）ｃｏｓ（θ）／ｓｉｎ（θ）｝＞Ｆ（２）
（μ１）＞Ｆ（２）／｛Ｆ（Ｂ）+Ｆ（２）ｃｏｓ（θ）／ｓｉｎ（θ）｝
また、一方、ポール１４と傾斜面９との接触による摩擦係数（μ２）においても、
（μ２）＞Ｆ（２）ｃｏｓ（θ）／｛Ｆ（Ｂ）+Ｆ（２）／ｓｉｎ（θ）｝
であれば、ポール１４は回転しないことになり、これにより記録材Ｓが保持されることとなる。
【００２７】
よって、このクリップ１では、板バネ２０が設けられていることにより、例え、入口１０が上方を向いた状態であっても、入口１０から挿入された記録材Ｓが板バネ２０の力によってポール１４と支持部５との間で保持される。
【００２８】
このクリップ１に保持させた記録材Ｓをクリップ１から外すには、クリップ１の幅方向（記録材Ｓの挿入方向と直交する方向）に記録材Ｓを所定の力でスライドさせることにより記録材Ｓがクリップ１から外れる。
【００２９】
ここで、入口１０とポール１４の径との関係を説明する。入口１０における支持部５と対向部７との対向方向の間隔（以後、入口１０の高さ方向の間隔ともいう）と、ポール１４の径とが、あまり近い値になると、記録材Ｓの挿入時には、記録材Ｓがポール１４の径中心を押すこととなり、記録材Ｓの引っかかり感が生じる。さらに、記録材Ｓの先端状態や挿入状態が悪いと、図７のように記録材Ｓがポール１４と対向部７との間に進入してしまう。これらを避けるためには、入口１０の高さ方向の間隔ａをポール１４の径ｄの２／５以下の寸法とすることが望ましい。
【００３０】
次に、図８に基づいてクリップ１が設けられたバインダ５１を説明する。図８はバインダ５１を示す斜視図である。
【００３１】
図８に示すように、バインダ５１は、記録材支持面５２が形成されたバインダボード５３と、このバインダボード５３の記録材支持面５２側に設けられたクリップ１とを有している。
【００３２】
記録材支持面５２の両端部には、一対の壁５４が突出して形成されている。これらの壁５４は、クリップ１に保持された記録材Ｓの幅方向の両端が当接可能である。壁５４の間隔は、記録材Ｓの幅よりも少し余裕をもった間隔に設定されている。
【００３３】
このような構成において、バインダ５１に記録材Ｓを保持させるには、使用者は、一方の手でバインダ５１を持ち、他方の手で記録材Ｓを図中Ａ方向に移動させてクリップ１の入口１０に挿入する。これにより記録材Ｓがクリップ１に保持される。このとき、このクリップ１では、上述したように、クリップ１の入口１０が上方を向い状態であっても、板バネ２０の力によって記録材Ｓが保持される。
【００３４】
記録材Ｓを保持した状態のバインダ５１を持ち歩く際などに、バインダ５１を横に向けた場合、重力によって記録材Ｓがクリップ１の側方へ移動する向きに力を受ける。このとき、記録材Ｓの重さなどの条件によっては、記録材Ｓがクリップ１の側方、つまり、クリップ１から外れる向きに移動することがあるが、この場合でも、記録材Ｓの両側部が壁５４に当接して移動が規制されるので、記録材Ｓがクリップ１の側方へスライド移動してクリップ１から外れることが防止されている。
【００３５】
記録材Ｓをバインダ５１から取り外すには、記録材Ｓの一方の側部を壁５４よりも高くめくり、クリップ１への挿入方向に対して直角方向である記録材Ｓの幅方向（図中Ｂ方向）に所定の力で記録材Ｓをスライドさせることにより、記録材Ｓがクリップ１から外れる。このように、本実施の形態では、使用者が意識的に記録材Ｓを外そうとしないと、記録材Ｓが外れない。
【００３６】
以上説明したように、本実施の形態では、バインダ５１のクリップ１に対する記録材Ｓの着脱作業が片手で簡単にでき、作業性が向上しているともに、バインダ５１に装着した記録材Ｓが持ち運び等によって外れることが防止されている。また、特に、片手で記録材Ｓの着脱ができることによって、バインダ５１を片手で持ちながらの作業が可能になり、従来のように一度机等において作業する必要がなくなり、バインダ５１の機動性が大幅に向上する。
【００３７】
また、クリップ１は、記録材Ｓに対する入口１０に向けての抜き方向への力が掛かると、さらに大きな保持力を発生させて記録材Ｓを保持するので、安心してバインダ５１等の持ち運びができ得るようになる。
【００３８】
また、板バネ２０がポール１４の両端部を押していることにより、ポール１４と傾斜面９と記録材Ｓとの関係をポール１４の両端部で略同じにすることができるので、それらの間に生じる力がポール１４の両端部で略同じとなり、これにより、さらに確実に記録材Ｓを保持することができる。
【００３９】
また、入口１０の高さ方向の間隔をポール１４の径の２／５以下の寸法とすることにより、記録材Ｓの状態や記録材Ｓの差込状態が悪くても、記録材Ｓをポール１４と支持部５との間に案内してそれらの間で確実に挟み込むことができる。
【００４０】
なお、本実施の形態では、回転体としてポール１４を例に説明したが、回転体としては、球であってもよい。
【００４１】
また、本実施の形態では、規制部である規制壁１１と対向部７とを独立した部材として説明したが、これに限るものではなく、対向部７が規制壁１１を兼ねるようにしてよい。
【図面の簡単な説明】
【００４２】
【図１】本発明の一実施の形態のクリップを示す斜視図である。
【図２】その分解斜視図である。
【図３】その縦断側面図である。
【図４】ポールの構造を説明するための説明図である。
【図５】ポールの別の構造を説明するための分解斜視図である。
【図６】クリップの記録材の保持原理を説明するための説明図である。
【図７】記録材の一部が傾斜面側に進入した例を示す縦断側面図である。
【図８】バインダを示す斜視図である。
【図９】従来の重力式クリップの一例を示す縦断側面図である。
【符号の説明】
【００４３】
１      クリップ
５      支持部
７      対向部
９      傾斜面
１０    入口
１１    規制壁（規制部）
１２    挿入口
１４    ポール（回転体）
１８    軸
１９    リング部材
２０    板バネ（付勢部材）
２３    当接部
５１    バインダ
５３    バインダボード
５４    壁
Ｓ      記録材
【図１】
2005262637.tif 000003
【図２】
2005262637.tif 000004
【図３】
2005262637.tif 000005
【図４】
2005262637.tif 000006
【図５】
2005262637.tif 000007
【図６】
2005262637.tif 000008
【図７】
2005262637.tif 000009
【図８】
2005262637.tif 000010
【図９】
2005262637.tif 000011